(57)【要約】【課題】  情報提供者側の意図に応じた体裁でマトリクス状に画像を表示させることが可能な広告画像表示システム、広告画像表示方法、画像配信サーバ、画像表示装置、およびプログラムを提供する。【解決手段】  画像を配信する画像配信サーバ２０と、画像を表示する画像表示装置１０が、データ送受信可能に接続されたシステムにより画像を表示するに際し、画像表示装置１０が、画像配信サーバ２０に対して画像データを要求し、画像配信サーバが、画像表示装置１０からの要求に応じて、広告用の画像データである広告画像、および広告画像以外の画像データである通常画像を記憶した画像データ記憶手段から広告画像を含む画像データを取得し、画像配信サーバ２０が、取得された画像データを画像表示装置１０に送信し、画像表示装置１０が、画像配信サーバ２０から受信した画像データを、広告画像を優先して所定の位置に配置して表示する。【選択図】  図８
2014048594.tif 000002
【特許請求の範囲】
【請求項１】
画像を配信する画像配信サーバと、画像を表示する画像表示装置が、データ送受信可能に接続されたシステムであって、
前記画像配信サーバは、
広告用の画像データである広告画像を、表示位置を示す情報である表示位置情報と対応付けて記憶するとともに、広告画像以外の画像データである通常画像を記憶した画像データ記憶手段と、
前記画像表示装置からの要求に応じて、前記画像データ記憶手段から広告画像を含む画像データを取得する画像データ取得手段と、
前記画像データ取得手段により取得された画像データを前記画像表示装置に送信する画像データ送信手段と、を有し、
前記画像表示装置は、
前記画像配信サーバに対して画像データを要求する画像要求手段と、
前記画像データの要求に応じて前記画像配信サーバから受信した画像データを、広告画像を優先して前記表示位置情報で特定される位置に配置して表示する画像表示手段と、
を有することを特徴とする広告画像表示システム。
【請求項２】
前記画像配信サーバおよび前記画像表示装置とデータ送受信可能に接続された広告管理サーバを更に有し、
前記広告管理サーバは、
前記広告画像を記憶した広告画像記憶手段と、
前記広告画像に対応するページデータである広告ページを記憶した広告ページ記憶手段と、
前記広告画像記憶手段から取得した広告画像を前記画像配信サーバに送信する広告画像送信手段と、
前記画像表示装置からの要求に応じて、前記広告ページ記憶手段から広告ページを取得する広告ページ取得手段と、
前記広告ページ取得手段により取得された広告ページを前記画像表示装置に送信する広告ページ送信手段と、を有し、
前記画像配信サーバは、
前記広告管理サーバから受信した広告画像を前記画像データ記憶手段に登録する画像データ登録手段を更に有し、
前記画像表示装置は、
表示されている広告画像に対する指示に基づいて、指示された広告画像に対応する広告ページの要求を前記広告管理サーバに対して行う広告ページ要求手段を更に有することを特徴とする請求項１に記載の広告画像表示システム。
【請求項３】
画像を配信する画像配信サーバと、画像を表示する画像表示装置が、データ送受信可能に接続されたシステムにより画像を表示する方法であって、
前記画像表示装置が、画像配信サーバに対して画像データを要求する段階と、
前記画像配信サーバが、前記画像表示装置からの要求に応じて、広告用の画像データである広告画像表示位置を示す情報である表示位置情報と対応付けて記憶するとともに、広告画像以外の画像データである通常画像を記憶した画像データ記憶手段から広告画像を含む画像データを取得する段階と、
前記画像配信サーバが、取得された画像データを前記画像表示装置に送信する段階と、
前記画像表示装置が、前記画像配信サーバから受信した画像データを、広告画像を優先して前記表示位置情報で特定される位置に配置して表示する段階と、
を有することを特徴とする広告画像表示方法。
【請求項４】
画像を表示する画像表示装置とデータ送受信可能に接続され、画像を配信するサーバであって、
広告用の画像データである広告画像、および広告画像以外の画像データである通常画像を記憶した画像データ記憶手段と、
前記画像表示装置からの要求に応じて、前記画像データ記憶手段から広告画像を含む画像データを取得する画像データ取得手段と、
前記画像データ取得手段により取得された画像データを前記画像表示装置に送信する画像データ送信手段と、
を有することを特徴とする画像配信サーバ。
【請求項５】
画像を配信する画像配信サーバとデータ送受信可能に接続され、画像を表示する装置であって、
前記画像配信サーバに対して画像データを要求する画像要求手段と、
前記画像データの要求に基づいて、前記画像配信サーバから受信した画像データを、広告画像を優先して所定の位置に配置する画像表示手段と、
を有することを特徴とする画像表示装置。
【請求項６】
請求項５に記載の画像表示装置として、コンピュータを機能させるためのプログラム。
【発明の詳細な説明】
【技術分野】
【０００１】
本発明は、利用者が管理する端末装置に広告画像を表示させる技術に関する。
【背景技術】
【０００２】
近年、情報処理技術、および、ネットワーク技術の発達により、コンピュータ等の情報処理端末を利用して、様々なサービスが提供されている。特に、各個人が所有する携帯型端末の普及は急速であり、最近では、従来型の携帯電話機からコンピュータと同様の処理能力を有するスマートフォン（多機能型携帯電話）への移行が進んでいる。
【０００３】
従来、画像データベースを構築して、その画像をコンピュータの画面にマトリクス状に配置することが行われていた（特許文献１参照）。最近では、ネットワークを介して画像を取得し、取得した画像を時系列に従ってスマートフォンの画面にマトリクス状に配置する技術も開発されている。
【先行技術文献】
【特許文献】
【０００４】
【特許文献１】特開２００４−４６８８２号公報
【発明の概要】
【発明が解決しようとする課題】
【０００５】
しかしながら、上記従来の技術では、単に画像がマトリクス状で表示されるのみであるため、画像等の情報を提供する側にとっては、利益が少なくサービスを提供する意欲が高まらないという問題がある。
【０００６】
そこで、本発明は、情報提供者側の意図に応じた体裁で複数の画像を表示させることが可能な広告画像表示システム、広告画像表示方法、画像配信サーバ、画像表示装置、およびプログラムを提供することを課題とする。
【課題を解決するための手段】
【０００７】
上記課題を解決するため、本発明第１の態様では、画像を配信する画像配信サーバと、画像を表示する画像表示装置が、データ送受信可能に接続されたシステムであって、前記画像配信サーバは、広告用の画像データである広告画像を、表示位置を示す情報である表示位置情報と対応付けて記憶するとともに、広告画像以外の画像データである通常画像を記憶した画像データ記憶手段と、前記画像表示装置からの要求に応じて、前記画像データ記憶手段から広告画像を含む画像データを取得する画像データ取得手段と、前記画像データ取得手段により取得された画像データを前記画像表示装置に送信する画像データ送信手段と、を有し、前記画像表示装置は、前記画像配信サーバに対して画像データを要求する画像要求手段と、前記画像データの要求に応じて前記画像配信サーバから受信した画像データを、広告画像を優先して前記表示位置情報で特定される位置に配置して表示する画像表示手段と、を有することを特徴とする広告画像表示システムを提供する。
【０００８】
本発明第１の態様によれば、画像配信サーバから配信された広告画像および通常画像を配置する際に、広告画像と対応付けられた表示位置情報で特定される位置に広告画像を優先して表示するようにしたので、情報提供者側の意図に応じた体裁で複数の画像を表示させることが可能となる。
【０００９】
また、本発明第２の態様は、本発明第１の態様の広告画像表示システムにおいて、前記画像配信サーバおよび前記画像表示装置とデータ送受信可能に接続された広告管理サーバを更に有し、前記広告管理サーバは、前記広告画像を記憶した広告画像記憶手段と、前記広告画像に対応するページデータである広告ページを記憶した広告ページ記憶手段と、前記広告画像記憶手段から取得した広告画像を前記画像配信サーバに送信する広告画像送信手段と、前記画像表示装置からの要求に応じて、前記広告ページ記憶手段から広告ページを取得する広告ページ取得手段と、前記広告ページ取得手段により取得された広告ページを前記画像表示装置に送信する広告ページ送信手段と、を有し、前記画像配信サーバは、前記広告管理サーバから受信した広告画像を前記画像データ記憶手段に登録する画像データ登録手段を更に有し、前記画像表示装置は、表示されている広告画像に対する指示に基づいて、指示された広告画像に対応する広告ページの要求を前記広告管理サーバに対して行う広告ページ要求手段を更に有することを特徴とする。
【００１０】
本発明第２の態様によれば、広告管理サーバが、広告画像と、各広告画像に対応する広告ページを記憶しておき、画像表示装置における広告画像の選択に応じて対応する広告ページを提供するようにしたので、利用者は、マトリクスの所定の位置に表示された広告画像を基により詳細な情報を取得することが可能となる。
【００１１】
また、本発明第３の態様では、画像を配信する画像配信サーバと、画像を表示する画像表示装置が、データ送受信可能に接続されたシステムにより画像を表示する方法であって、前記画像表示装置が、画像配信サーバに対して画像データを要求する段階と、前記画像配信サーバが、前記画像表示装置からの要求に応じて、広告用の画像データである広告画像表示位置を示す情報である表示位置情報と対応付けて記憶するとともに、広告画像以外の画像データである通常画像を記憶した画像データ記憶手段から広告画像を含む画像データを取得する段階と、前記画像配信サーバが、取得された画像データを前記画像表示装置に送信する段階と、前記画像表示装置が、前記画像配信サーバから受信した画像データを、広告画像を優先して前記表示位置情報で特定される位置に配置して表示する段階と、を有することを特徴とする広告画像表示方法を提供する。
【００１２】
本発明第３の態様によれば、画像配信サーバから配信された広告画像および通常画像を配置する際に、表示位置情報で特定される位置に広告画像を優先して表示するようにしたので、本発明第１の態様と同様、情報提供者側の意図に応じた体裁で複数の画像を表示させることが可能となる。
【００１３】
また、本発明第４の態様は、画像を表示する画像表示装置とデータ送受信可能に接続され、画像を配信するサーバであって、広告用の画像データである広告画像、および広告画像以外の画像データである通常画像を記憶した画像データ記憶手段と、前記画像表示装置からの要求に応じて、前記画像データ記憶手段から広告画像を含む画像データを取得する画像データ取得手段と、前記画像データ取得手段により取得された画像データを前記画像表示装置に送信する画像データ送信手段と、を有することを特徴とする画像配信サーバを提供する。
【００１４】
本発明第４の態様によれば、画像配信サーバが、画像表示装置からの要求に応じて、記憶している広告画像および通常画像を送信するようにしたので、画像表示装置において、情報提供者側の意図に応じた体裁で複数の画像を表示させることが可能となる。
【００１５】
また、本発明第５の態様は、画像を配信する画像配信サーバとデータ送受信可能に接続され、画像を表示する装置であって、前記画像配信サーバに対して画像データを要求する画像要求手段と、前記画像データの要求に基づいて、前記画像配信サーバから受信した画像データを、広告画像を優先して所定の位置に配置する画像表示手段と、を有することを特徴とする画像表示装置を提供する。
【００１６】
本発明第５の態様によれば、画像表示装置が、画像配信サーバから受信した画像データを、広告画像を優先して所定の位置に配置するようにしたので、画像表示装置において、情報提供者側の意図に応じた体裁で複数の画像を表示させることが可能となる。
【発明の効果】
【００１７】
本発明によれば、情報提供者側の意図に応じた体裁で複数の画像を表示させることが可能となるという効果を有する。
【図面の簡単な説明】
【００１８】
【図１】本発明の一実施形態に係る広告画像表示システムの構成図である。
【図２】画像表示装置１０の詳細を示す図である。
【図３】画像配信サーバ２０の詳細を示す図である。
【図４】画像データ記憶手段Ｄ１に記憶された情報の一例を示す図である。
【図５】広告管理サーバ３０の詳細を示す図である。
【図６】本発明の一実施形態に係る広告画像表示システムの処理動作を示すシーケンス図である。
【図７】画像表示装置１０に表示される画像の位置関係を示す図である。
【図８】画像表示装置１０に広告画像と通常画像を表示した状態を示す図である。
【発明を実施するための形態】
【００１９】
＜１．システム構成＞
以下、本発明の好適な実施形態について図面を参照して詳細に説明する。図１は、本発明の一実施形態に係る広告画像表示システムの構成図である。図１において、１０は画像表示装置、２０は画像配信サーバ、３０は広告管理サーバ、４０はネットワークである。画像表示装置１０、画像配信サーバ２０、広告管理サーバ３０はインターネット等の公衆のネットワーク４０に接続されており、互いにデータの送受信が可能となっている。
【００２０】
画像表示装置１０は、スマートフォン（多機能型携帯電話）、タブレットＰＣ、従来型電話機等の、情報処理機能、ネットワーク通信機能、および表示機能を備えた携帯可能な端末装置（携帯型端末）であり、広告画像を表示する広告画像表示装置として機能する。本発明を実施するに際し、画像表示装置１０は通話機能を備えていなくても良い。画像配信サーバ２０は、配信用の画像データを管理し、画像表示装置１０からの要求に応じて、画像データを供給するサーバコンピュータである。広告管理サーバ３０は、画像配信サーバ２０が管理する広告画像に関連する様々な情報を管理するサーバコンピュータである。
【００２１】
図２（ａ）は、画像表示装置１０のハードウェア構成図である。画像表示装置１０は、スマートフォンに専用のプログラムを組み込むことにより実現される。スマートフォンとは、音声通話以外にインターネット接続等ができ、パソコンの機能を有する多機能型携帯電話である。本発明では、携帯電話としての機能ではなく、パソコンとしての機能を利用する。図２（ａ）に示すように、画像表示装置１０は、ＣＰＵ（Central Processing Unit）１０ａと、メインメモリであるＲＡＭ（Random Access Memory）１０ｂと、ＣＰＵが実行するプログラムやデータを記憶するための不揮発性の記憶装置１０ｃ（例えば、フラッシュメモリ等）と、キーボード、タッチパネル等の指示入力部１０ｄと、外部装置（データ記憶媒体等）とデータ通信するためのデータ入出力Ｉ／Ｆ（インタフェース）１０ｅと、表示部（液晶ディスプレイ等）１０ｆと、ネットワークを介して他のコンピュータとネットワーク通信を行うための通信部１０ｇを備え、互いにバスを介して接続されている。画像表示装置１０として、スマートフォンを用いる場合は、図２（ａ）に示したようなハードウェア構成を有するスマートフォンに専用のプログラムを組み込むことにより実現される。
【００２２】
図２（ｂ）は、画像表示装置１０の機能ブロック図である。図２（ａ）に示したハードウェア構成において、ＣＰＵ１０ａが記憶装置１０ｃに記憶されたプログラムをＲＡＭ１０ｂに読み込んで実行することにより、画像表示装置１０は、図２（ｂ）に示した各手段を機能させることが可能となる。図２（ｂ）に示すように、画像表示装置１０は、画像要求手段１１、画像表示手段１２を有する。
【００２３】
画像要求手段１１は、画像配信サーバ２０に対して画像データの要求信号を送信する手段であり、通信部１０ｇがＣＰＵ１０ａから受けた送信命令を実行することにより実現される。
【００２４】
画像表示手段１２は、画像配信サーバ２０から受信した画像データを表示する手段であり、通信部１０ｇが受信した画像データを、ＣＰＵ１０ａがプログラムに従って配置位置を決定し、表示部１０ｆに画像データを表示させることにより実現される。
【００２５】
図３（ａ）は、画像配信サーバ２０のハードウェア構成図である。画像配信サーバ２０は、汎用のサーバコンピュータで実現することができ、図３（ａ）に示すように、ＣＰＵ（Central Processing Unit）２０ａと、コンピュータのメインメモリであるＲＡＭ（Random Access Memory）２０ｂと、ＣＰＵが実行するプログラムやデータを記憶するための大容量の記憶装置２０ｃ（例えば、ハードディスク、フラッシュメモリ等）と、キーボード、マウス等の入力機器からの入力を受け付ける入力Ｉ／Ｆ（インタフェース）２０ｄと、外部装置（データ記憶媒体等）とデータ通信するためのデータ入出力Ｉ／Ｆ（インタフェース）２０ｅと、表示装置（液晶ディスプレイ等）に情報を送出するための表示出力Ｉ／Ｆ（インタフェース）２０ｆと、ネットワークを介して他のコンピュータとネットワーク通信を行うための通信部２０ｇを備え、互いにバスを介して接続されている。
【００２６】
図３（ｂ）は、画像配信サーバ２０の機能ブロック図である。図３（ａ）に示したハードウェア構成において、ＣＰＵ２０ａが記憶装置２０ｃに記憶されたプログラムをＲＡＭ２０ｂに読み込んで実行することにより、画像配信サーバ２０は、図３（ｂ）に示した各手段を機能させることが可能となる。図３（ｂ）に示すように、画像配信サーバ２０は、画像データ登録手段２１、画像データ取得手段２２、画像データ送信手段２３、画像データ記憶手段Ｄ１を有する。
【００２７】
画像データ登録手段２１は、外部からデータ入出力Ｉ／Ｆ２０ｅ、通信部２０ｇを介して取得した画像データを画像データ記憶手段Ｄ１に格納する手段であり、ＣＰＵ２０ａが、専用のプログラムを実行することにより実現される。
【００２８】
画像データ取得手段２２は、画像表示装置１０からの画像データの要求に応じて、対応する画像データを、画像データ記憶手段Ｄ１から取得する手段であり、ＣＰＵ２０ａが、専用のプログラムを実行することにより実現される。
【００２９】
画像データ送信手段２３は、画像データ取得手段２２により取得された画像データを画像表示装置１０に送信する手段であり、通信部２０ｇがＣＰＵ２０ａから受けた送信命令を実行することにより実現される。
【００３０】
画像データ記憶手段Ｄ１は、画像データを記憶した記憶手段である。画像データは、画像データを特定する画像識別情報である画像ＩＤ、画像データが登録された日時である登録日時と対応付けて記憶されている。画像データ記憶手段Ｄ１は、記憶装置２０ｃ内に画像データを記憶するための所定の領域を確保することにより実現される。
【００３１】
図４は、画像データ記憶手段Ｄ１に記憶された情報の一例を示す図である。図４に示すように、画像データ記憶手段Ｄ１には、画像ＩＤ、登録日時、種別、表示位置が対応付けられて記憶されている。画像ＩＤに対応付けて画像データ記憶手段Ｄ１内における画像データの格納位置を示す画像パスも記憶されている。種別は画像の種別を示すものであり、本実施形態では、通常と広告の２種類の種別を設けている。種別が“通常”である画像が通常画像、種別が“広告”である画像が広告画像である。表示位置は、画像表示装置１０で画像をマトリクス状に表示する場合における指定された表示位置である。ここで、マトリクス状とは、複数の行、列に配置することを意味し、１行または１列の場合も含むものとする。従って、最低２以上の画像を表示する場合、マトリクス状の表示となる。表示位置については、広告画像についてのみ設定されており、通常画像については設定されていない。
【００３２】
図５（ａ）は、広告管理サーバ３０のハードウェア構成図である。広告管理サーバ３０は、汎用のサーバコンピュータで実現することができ、図５（ａ）に示すように、ＣＰＵ（Central Processing Unit）３０ａと、コンピュータのメインメモリであるＲＡＭ（Random Access Memory）３０ｂと、ＣＰＵが実行するプログラムやデータを記憶するための大容量の記憶装置３０ｃ（例えば、ハードディスク、フラッシュメモリ等）と、キーボード、マウス等の入力機器からの入力を受け付ける入力Ｉ／Ｆ（インタフェース）３０ｄと、外部装置（データ記憶媒体等）とデータ通信するためのデータ入出力Ｉ／Ｆ（インタフェース）３０ｅと、表示装置（液晶ディスプレイ等）に情報を送出するための表示出力Ｉ／Ｆ（インタフェース）３０ｆと、ネットワークを介して他のコンピュータとネットワーク通信を行うための通信部３０ｇを備え、互いにバスを介して接続されている。
【００３３】
図５（ｂ）は、広告管理サーバ３０の機能ブロック図である。図５（ａ）に示したハードウェア構成において、ＣＰＵ３０ａが記憶装置３０ｃに記憶されたプログラムをＲＡＭ３０ｂに読み込んで実行することにより、広告管理サーバ３０は、図５（ｂ）に示した各手段を機能させることが可能となる。図５（ｂ）に示すように、広告管理サーバ３０は、広告画像送信手段３１、広告ページ取得手段３２、広告ページ送信手段３３、広告画像記憶手段Ｄ２、広告ページ記憶手段Ｄ３を有する。
【００３４】
広告画像送信手段３１は、広告画像の画像データを、登録要求とともに画像配信サーバ２０に送信する手段であり、通信部３０ｇがＣＰＵ３０ａから受けた送信命令を実行することにより実現される。
【００３５】
広告ページ取得手段３２は、画像表示装置１０からの広告ページの要求に応じて、対応する広告ページを、広告ページ記憶手段Ｄ３から取得する手段であり、ＣＰＵ２０ａが、専用のプログラムを実行することにより実現される。
【００３６】
広告ページ送信手段３３は、広告ページ取得手段３２により取得された広告ページを画像表示装置１０に送信する手段であり、通信部３０ｇがＣＰＵ３０ａから受けた送信命令を実行することにより実現される。
【００３７】
広告画像記憶手段Ｄ２は、広告画像の画像データを記憶した記憶手段である。広告画像の画像データは、広告画像の画像データを特定する画像識別情報である広告画像ＩＤ、広告主情報、広告ページＩＤと対応付けて記憶されている。広告ページ記憶手段Ｄ３は、広告の内容が記述されたページデータである広告ページを記憶した記憶手段である。広告画像記憶手段Ｄ２、広告ページ記憶手段Ｄ３は、記憶装置３０ｃ内に画像データ、広告ページを記憶するための所定の領域を確保することにより実現される。
【００３８】
＜２．事前準備＞
まず、事前の準備として、利用者は、所定の手順により自身のスマートフォン等を画像表示装置１０として機能させるための専用プログラムを入手する。例えば、専用プログラムを“アプリ”と呼ばれるプログラムとして、専用プログラムの提供者がネットワーク上の所定のサーバに登録しておき、利用者がスマートフォンから、そのサーバにアクセスしてダウンロードすることにより、専用プログラムを入手することができる。この専用プログラムをスマートフォンにダウンロードすることにより、ＵＲＬ等の画像配信サーバ２０にアクセスするためのネットワーク上のアドレスが画像表示装置１０の記憶装置１０ｃに格納される。
【００３９】
画像配信サーバ２０は、外部から入力または受信された画像データを画像データ記憶手段Ｄ１に登録する。この際、上述のように、登録日時と対応付けて記憶する。画像配信サーバ２０をインターネットに公開し、広く画像の登録を受け付けるようにしている場合には、通信部２０ｇが外部から受信した画像データを、画像データ登録手段２１が、画像データ記憶手段Ｄ１に登録していく。画像配信サーバ２０は、例えば、ＳＮＳ（Ｓｏｃｉａｌ  Ｎｅｔｗｏｒｋｉｎｇ  Ｓｅｒｖｉｃｅ）サーバの一部として構築された形態であっても良い。この場合、ＳＮＳに参加している利用者からネットワークを通じて画像データが送信され、画像配信サーバ２０の画像データ記憶手段Ｄ１に登録される。
【００４０】
＜３．処理動作＞
次に、本実施形態に係る広告画像表示システムの処理動作について、図６のシーケンス図を用いて説明する。まず、広告管理サーバ３０から画像配信サーバ２０への広告画像の登録を行う。具体的には、管理者が、広告管理サーバ３０内の広告画像記憶手段Ｄ２に記憶された広告画像のうち、登録すべき画像を指定し、種別の指定、表示位置の指定とともに登録指示を行う。すると、広告画像送信手段３１が、指定された広告画像を広告画像記憶手段Ｄ２から取得して、指定された種別、表示位置の情報とともに画像配信サーバ２０に送信する（ステップＳ１１）。
【００４１】
画像配信サーバ２０では、通信部２０ｇが、広告画像と、その種別、表示位置の情報を受信する。すると、画像データ登録手段２１が、広告画像と、種別、表示位置の情報を対応付けて画像データ記憶手段Ｄ１に登録する（ステップＳ１２）。図４に示すように、画像データ記憶手段Ｄ１には、広告管理サーバ３０から受信した広告画像と、ネットワークを介して他のコンピュータ等から受信した通常画像が混在して登録される。
【００４２】
画像配信サーバ２０の画像データ記憶手段Ｄ１に画像データが登録された状態で、利用者が画像表示装置１０において、画像表示のための専用プログラムを起動する指示を行うと、ＣＰＵ１０ａが記憶装置１０ｃから専用プログラムをＲＡＭ１０ｂに読み込み、実行を行う。専用プログラムに従って、ＣＰＵ１０ａは、必要な数の画像データを画像配信サーバ２０に要求する（ステップＳ１３）。例えば、必要な数として１６個の画像データを要求したものとする。
【００４３】
画像配信サーバ２０は、通信部２０が、画像表示装置１０から必要な数の画像の要求を受信する。すると、画像データ取得手段２２が、要求された数の画像データを画像データ記憶手段Ｄ１から取得する（ステップＳ１４）。具体的には、まず、種別が“広告” となっている画像データを抽出する。例えば、図４の例では、Ｇ０５５〜Ｇ０５８の４つの画像データが抽出される。画像表示装置１０から１６個の画像データが要求されている場合、残り１２個取得する必要がある。そのため、画像データ取得手段２２は、種別が“通常” となっている画像データを登録日時の新しいものから１２個抽出する。例えば、図４の例では、Ｇ１０１〜Ｇ１１２の１２個の画像データが抽出される。
【００４４】
続いて、画像データ送信手段２３が、画像データ取得手段２２により取得された画像データを、要求元の画像表示装置１０に送信する（ステップＳ１５）。この際、通常画像については登録日時を対応付けて、広告画像については表示位置を対応付けて送信する。
【００４５】
画像表示装置１０では、通信部１０ｇが、画像配信サーバ２０から画像データを受信する。そして、ＣＰＵ１０ａが、専用のプログラムに従って、受信した画像データを画面に表示する（ステップＳ１６）。具体的には、まず、表示位置の情報が付加された画像データを取得し、受信した表示位置の情報に基づいて、配置位置を決定する。これにより広告画像の配置位置が決定される。通常画像の配置位置は、登録日時の新しい順に配置位置を決定する。
【００４６】
図７（ａ）は、画像表示装置１０が専用プログラムにより画像をマトリクス表示する際の表示位置を示す図である。図７（ａ）においては、表示位置（ｘ，ｙ）をｘ、ｙともに１〜４の範囲で示している。表示する対象に広告画像が含まれておらず、表示対象の全てが通常画像である場合は、上の段から下の段に向かって優先して配置し、同じ段においては、左から右に向かって優先して配置する。通常画像の優先順位は、登録日時の新しい順である。
【００４７】
本実施形態のように、表示する対象に広告画像が含まれている場合は、広告画像を優先して配置する。そのため、図４に示した配置位置に従って広告画像が優先的に配置されることになる。この結果、図７（ｂ）に示すように、広告画像の配置位置が決定する。続いて、通常画像を登録日時の新しい順に左上から右下に向かって配置していく。この結果、図８に示すように、取得した全ての画像の配置位置が決定する。結局、ステップＳ１６による処理の結果、画像表示装置１０の画面には、図８に示したような状態で画像のマトリクス表示が行われる。
【００４８】
専用プログラムにより、ＣＰＵ１０ａは、広告画像を表示する際、広告画像とその表示位置の関係をＲＡＭ１０ｂに保持しておく。広告画像が表示された状態で、タッチパネル等の指示入力部１０ｄにより、画面上の所定の位置が指定されると、ＣＰＵ１０ａは、その位置が広告画像の表示位置であるかどうかを判断する。そして、広告画像の表示位置である場合は、ＲＡＭ１０ｂで保持している広告画像とその表示位置を用いてその位置に表示されている広告画像を特定し、広告画像に対応付けられたＵＲＬを用いて広告管理サーバ３０にアクセスし、広告ページの要求を行う（ステップＳ１７）。このＵＲＬには、広告管理サーバ３０内における広告ページの所在を特定する情報が含まれている。
【００４９】
広告管理サーバ３０では、通信部３０ｇが、画像表示装置１０から広告ページの要求を受信する。すると、広告ページ取得手段３２が、受信したＵＲＬに含まれる広告ページの所在を特定する情報を用いて、広告ページ記憶手段Ｄ３から広告ページを取得する（ステップＳ１８）。続いて、広告ページ送信手段３３が、広告ページ取得手段３２により取得された広告ページを、要求元の画像表示装置１０に送信する（ステップＳ１９）。
【００５０】
画像表示装置１０では、通信部１０ｇが、広告管理サーバ３０から広告ページを受信する。そして、ＣＰＵ１０ａが受信した広告ページを表示部１０ｆに表示する（ステップＳ２０）。
【００５１】
＜４．変形例等＞
以上、本発明の好適な実施形態について説明したが、本発明は、上記実施形態に限定されず、種々の変形が可能である。例えば、上記実施形態では、広告画像を最上段の全てに表示させるようにしたが、任意の位置に表示させることが可能である。例えば、事前に画像配信サーバ内の広告画像に対応付けて表示位置を設定しておくことにより、二段目、三段目、最下段、最右列、斜め一列等、様々な体裁で広告画像を配置させることが可能である。また、配置される画像は、複数の画像が１つの図柄等の一部を構成しても良いし、各画像それぞれが単独で１つの図柄等を構成しても良い。
【００５２】
また、上記実施形態では、画像表示装置１０としてスマートフォン等の携帯型端末を用いたが、情報処理機能、通信機能、表示機能を備えていれば、パソコンやデジタルテレビ等、他の機器を画像表示装置１０として採用しても良い。
【産業上の利用可能性】
【００５３】
本発明は、ネットワークを介して情報を端末装置に配信する情報処理産業、特に、所望の広告情報を配信する産業に利用可能である。
【符号の説明】
【００５４】
１０・・・画像表示装置（携帯型端末）
１０ａ・・・ＣＰＵ
１０ｂ・・・ＲＡＭ
１０ｃ・・・記憶装置
１０ｄ・・・指示入力部
１０ｅ・・・データ入出力Ｉ／Ｆ
１０ｆ・・・表示部
１０ｇ・・・通信部
１１・・・画像要求手段
１２・・・画像表示手段
２０・・・画像配信サーバ
２０ａ・・・ＣＰＵ
２０ｂ・・・ＲＡＭ
２０ｃ・・・記憶装置
２０ｄ・・・入力Ｉ／Ｆ
２０ｅ・・・データ入出力Ｉ／Ｆ
２０ｆ・・・表示出力Ｉ／Ｆ
２０ｇ・・・通信部
２１・・・画像データ登録手段
２２・・・画像データ取得手段
２３・・・画像データ送信手段
３０・・・広告管理サーバ
３０ａ・・・ＣＰＵ
３０ｂ・・・ＲＡＭ
３０ｃ・・・記憶装置
３０ｄ・・・入力Ｉ／Ｆ
３０ｅ・・・データ入出力Ｉ／Ｆ
３０ｆ・・・表示出力Ｉ／Ｆ
３０ｇ・・・通信部
３１・・・広告画像送信手段
３２・・・広告ページ取得手段
３３・・・広告ページ送信手段
４０・・・ネットワーク
Ｄ１・・・画像データ記憶手段
Ｄ２・・・広告画像記憶手段
Ｄ３・・・広告ページ記憶手段
【図１】
2014048594.tif 000003
【図２】
2014048594.tif 000004
【図３】
2014048594.tif 000005
【図４】
2014048594.tif 000006
【図５】
2014048594.tif 000007
【図６】
2014048594.tif 000008
【図７】
2014048594.tif 000009
【図８】
2014048594.tif 000010